(57)【要約】    【課題】金属製の材料により構成される縦枠材の構造を簡素化しながら所定の強度を確保でき、容易且つ安価に製作できるようにする。    【解決手段】左右一対の縦枠材１３，１４と、上下一対の横枠材１５，１６とを含む外枠２を備え、両縦枠材１３，１４の少なくとも一方を型材５０等の金属製とし、この金属製の縦枠材１３，１４の前後両端を前後方向に連結して補強する連結部材５６〜５８を設ける。金属製の縦枠材１３，１４は縦板部５１と、縦板部５１の少なくとも前後方向の一端側から左右方向の内側へと突出する突出部５２とを有し、突出部５２と縦板部５１の突出部５２と反対側とを連結部材５６〜５８により連結する。【選択図】図４
2014018219.tif 000002
【特許請求の範囲】
【請求項１】
左右一対の縦枠材と、上下一対の横枠材とを含む外枠を備え、前記両縦枠材の少なくとも一方を型材、板金材等の金属製とした弾球遊技機において、前記金属製の縦枠材の前後所定部位を前後方向に連結して補強する連結部材を設けたことを特徴とする弾球遊技機。
【請求項２】
前記金属製の縦枠材は縦板部と、該縦板部の少なくとも前後方向の一端側から左右方向の内側へと突出する突出部とを有し、前記突出部と前記縦板部の前記突出部と反対側とを前記連結部材により連結したことを特徴とする請求項１に記載の弾球遊技機。
【請求項３】
前記金属製の縦枠材は縦板部と、該縦板部の前後両側から左右方向の内側へと突出する突出部とを有し、前記縦板部から離れた位置で前記連結部材により前記両突出部を前後に連結したことを特徴とする請求項１又は２に記載の弾球遊技機。
【請求項４】
前記連結部材を上下方向に複数個備え、該複数個の連結部材の内、少なくとも１の連結部材は、前記縦枠材の補強用以外の他の機能を有する機能部を一体に備えたことを特徴とする請求項１〜３の何れかに記載の弾球遊技機。
【請求項５】
前記横枠材の近傍で前記金属製の縦枠材を補強する連結部材は、該金属製の縦枠材と前記横枠材との連結用を兼用することを特徴とする請求項１〜４の何れかに記載の弾球遊技機。
【請求項６】
前記連結部材は前記金属製の縦枠材の前後幅よりも上下方向に長い長さを有し、前記金属製の縦枠材の縦板部との間に所定の間隔を置いて対向して配置される連結部と、該連結部の前後両側に設けられ且つ前記金属製の縦枠材の前後両側に固定される固定部とを備えたことを特徴とする請求項１〜５に記載の弾球遊技機。
【発明の詳細な説明】
【技術分野】
【０００１】
本発明は、パチンコ機、アレンジボール機、スロットマシン等の弾球遊技機に関するものである。
【背景技術】
【０００２】
パチンコ機、アレンジボール機等の弾球遊技機には、森林資源の保護等の見地から、前枠を開閉自在に支持する外枠に板金材、押し出し型材等の金属製の縦枠材を使用し、廃棄後もその金属製の縦枠材を再利用できるようにしたものがある（特許文献１）。
【０００３】
この弾球遊技機は、矩形枠状に構成された外枠と、この外枠の前側に開閉自在に枢着された前枠とを備え、その前枠に遊技盤が着脱自在に装着されると共に、遊技盤に遊技球を発射するための発射手段が装着されている。
【０００４】
外枠は左右一対の縦枠材と、この縦枠材の上下両端間に連結された上下一対の横枠材と、下横枠材の上側で縦枠材の下端部の前面に固定された前横枠材とを備えている。左右一対の縦枠材の内、前枠が開閉自在に枢着される左側の縦枠材は木材製であり、右側の縦枠材は中空状の押し出し型材により構成されている。押し出し型材は板状の外側壁と、階段状に三段階に屈曲する内側壁とを左右両側に有し、前部側が薄く後部側が厚くなる中空状に構成されている。
【先行技術文献】
【特許文献】
【０００５】
【特許文献１】特開２００８−２０６７５４号公報
【発明の概要】
【発明が解決しようとする課題】
【０００６】
外枠の一部に金属製の縦枠材を使用する場合には、外枠自体の廃棄に際しても、その金属製の縦枠材を取り外して再利用できるため、資源の無駄を解消できる利点がある。
【０００７】
しかし、従来の金属製の縦枠材は中空状の押し出し型材を用いる等、それ自体で所定の剛性を確保できるような断面形状に構成しているため、その製作コストがアップする欠点がある。即ち、最近の弾球遊技機では、遊技盤の中央に大型の液晶式の画像表示手段を配置する等、遊技盤を含む前枠側全体の重量が非常に重たくなる傾向にあり、これに伴って、外枠の金属製の縦枠材には中空状のものが使用されている。その結果、外枠に使用する金属製の縦枠材の製造コストがアップし、弾球遊技機全体の製作コストが高騰する原因となっている。
【０００８】
本発明は、このような従来の問題点に鑑み、金属製の材料により構成される縦枠材の構造を簡素化しながら所定の強度を確保でき、容易且つ安価に製作できる弾球遊技機を提供することを目的とする。
【課題を解決するための手段】
【０００９】
本発明は、左右一対の縦枠材と、上下一対の横枠材とを含む外枠を備え、前記両縦枠材の少なくとも一方を型材、板金材等の金属製とした弾球遊技機において、前記金属製の縦枠材の前後所定部位を前後方向に連結して補強する連結部材を設けたものである。
【００１０】
前記金属製の縦枠材は縦板部と、該縦板部の少なくとも前後方向の一端側から左右方向の内側へと突出する突出部とを有し、前記突出部と前記縦板部の前記突出部と反対側とを前記連結部材により連結してもよい。前記金属製の縦枠材は縦板部と、該縦板部の前後両側から左右方向の内側へと突出する突出部とを有し、前記縦板部から離れた位置で前記連結部材により前記両突出部を前後に連結してもよい。
【００１１】
前記連結部材を上下方向に複数個備え、該複数個の連結部材の内、少なくとも１の連結部材は、前記縦枠材の補強用以外の他の機能を有する機能部を一体に備えてもよい。前記横枠材の近傍で前記金属製の縦枠材を補強する連結部材は、該金属製の縦枠材と前記横枠材との連結用を兼用するようにしてもよい。
【００１２】
前記連結部材は前記金属製の縦枠材の前後幅よりも上下方向に長い長さを有し、前記金属製の縦枠材の縦板部との間に所定の間隔を置いて対向して配置される連結部と、該連結部の前後両側に設けられ且つ前記金属製の縦枠材の前後両側に固定される固定部とを備えてもよい。
【発明の効果】
【００１３】
本発明によれば、金属製の材料により構成される縦枠材の構造を簡素化しながら所定の強度を確保でき、容易且つ安価に製作できる利点がある。
【図面の簡単な説明】
【００１４】
【図１】本発明の第１の実施形態を示すパチンコ機の正面図である。
【図２】同要部の平面断面図である。
【図３】同外枠下部の平面断面図である。
【図４】同外枠の斜視図である。
【図５】同外枠の右側の縦枠材部分の正面断面図である。
【図６】同外枠の右側の縦枠材部分の分解斜視図である。
【図７】本発明の第２の実施形態を示す外枠の斜視図である。
【図８】同外枠の左側の縦枠材部分の正面断面図である。
【図９】同外枠の左側の縦枠材部分の内側からの側面断面図である。
【図１０】同外枠の下部の平面断面図である。
【図１１】本発明の第３の実施形態を示す要部の平面断面図である。
【図１２】本発明の第４の実施形態を示す要部の平面断面図である。
【図１３】同要部の斜視図である。
【図１４】本発明の第５の実施形態を示す要部の平面断面図である。
【図１５】同要部の斜視図である。
【図１６】本発明の第６の実施形態を示す要部の正面断面図である。
【図１７】同要部の平面断面図である。
【図１８】本発明の第７の実施形態を示す要部の平面断面図である。
【図１９】本発明の第８の実施形態を示す要部の正面断面図である。
【図２０】同要部の平面断面図である。
【図２１】本発明の第９の実施形態を示す要部の平面断面図である。
【図２２】本発明の第１０の実施形態を示す要部の平面断面図である。
【図２３】同連結部材の斜視図である。
【発明を実施するための形態】
【００１５】
以下、本発明の各実施形態を図面に基づいて詳述する。図１〜図６は本発明をパチンコ機に採用した第１の実施形態を例示する。パチンコ機１は、図１に示すように、矩形状の外枠２と、この外枠２の前側に上下一対のヒンジ３，４により縦軸廻りに開閉自在に枢着された前枠５とを備えている。前枠５の前側にはガラス扉６と前面板７とが上下に配置され、前枠５に対してヒンジ３，４と同じ側のヒンジ８，９により縦軸廻りに開閉自在に枢支されている。前枠５は閉状態で外枠２に対して施錠手段１０により施錠可能であり、ガラス扉６、前面板７は閉状態で前枠５に対して施錠手段１１（図２参照）等により施錠可能である。前枠５の前面には、ガラス扉６とは別に施錠手段１０，１１用の鍵穴等の解除操作部１２が設けられている。
【００１６】
外枠２は、図４に示すように、縦方向（上下方向）に配置された左右一対の縦枠材１３，１４と、この一対の縦枠材１３，１４の上下両端間に横方向（左右方向）に配置された上下一対の横枠材１５，１６と、下側の横枠材１６の前端上で一対の縦枠材１３，１４の前側に横方向に配置された前枠材１７とを備え、その前枠材１７上で外枠２の前側に前枠５が配置されている。
【００１７】
前枠５は閉状態では外枠２の前面に当接している。前枠５の裏側には図２に示すように遊技盤装着枠１８が外枠２内に突出して設けられており、この遊技盤装着枠１８に遊技盤１９が前側から着脱自在に装着されている。なお、図２に示すように、前枠５用の施錠手段１０は遊技盤装着枠１８の外側で前枠５の裏側に設けられ、またガラス扉６は遊技盤１９の遊技領域２０に対応する窓孔を有する扉枠２１と、扉枠２１の裏側に着脱自在に装着され且つ窓孔２２を塞ぐガラス板ユニット２３とを備えている。
【００１８】
前面板７の前側には、図１に示すように、発射用の遊技球を貯留する球供給皿２４と、余剰球を貯留する球受け皿２５とが上下に配置され、その側方に遊技球を発射する発射手段（図示省略）の発射ハンドル２６が設けられている。球供給皿２４、球受け皿２５は前面板７に装着され、前側から上部皿カバー２７、下部皿カバー２８により覆われている。上部皿カバー２７の上側には、左右方向の略中央部に前斜め上向きに操作ボタン兼用の回転灯２９が配置され、左側部分にチャンスボタン３０が配置されている。
【００１９】
遊技盤１９の前面には、図１に示すように、発射手段から発射された遊技球を案内するガイドレール３４が略円弧状に配置されると共に、そのガイドレール３４の内側の遊技領域２０に画像表示手段３６、普通図柄始動手段３７、特別図柄始動手段３８、可変入賞手段３９、普通入賞手段４０、普通図柄表示手段４１、特別図柄表示手段４２等の各種の遊技部品が配置されている。
【００２０】
画像表示手段３６は遊技領域２０の左右方向の略中央の上部に配置され、特別図柄始動手段３８と可変入賞手段３９は画像表示手段３６の下側に上下に配置されている。普通入賞手段４０は可変入賞手段３９の左右両側に設けられている。特別図柄始動手段３８は非開閉式入賞口３８ａと開閉式入賞口３８ｂとを有する。
【００２１】
普通図柄始動手段３７は画像表示手段３６とガイドレール３４との間に配置されている。画像表示手段３６は液晶式等の画像表示部４４と、画像表示部４４に対応する表示窓４５を有し且つ遊技盤１９の前面に装着された前飾り枠４６とを備えている。前飾り枠４６の上部側の前面に普通図柄表示手段４１と特別図柄表示手段４２とが装着されている。
【００２２】
普通図柄表示手段４１は普通図柄を変動表示するためのもので、複数種類の普通図柄（例えば２種類の「○」「×」）に対応する複数個の発光素子により構成されており、普通図柄始動手段３７が遊技球を検出することを条件に２個の発光素子が交互に点灯するように所定時間点滅して、普通図柄始動手段３７の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２３】
特別図柄表示手段４２は発光部位の変化等で特別図柄を変動表示可能なセグメント式等により構成されており、特別図柄始動手段３８が遊技球を検出することを条件に、特別図柄が所定時間変動して、特別図柄始動手段３８の遊技球の検出時に抽選された乱数値が予め定められた大当たり判定値と一致した場合に所定の大当たり態様で、それ以外の場合に外れ態様で停止するようになっている。
【００２４】
特別図柄始動手段３８の開閉式入賞口３８ｂは、普通図柄表示手段４１の変動後の停止図柄が当たり態様となったときに所定時間（短時間）だけ開放するようになっている。可変入賞手段３９は開閉板３９ａを有し、特別図柄表示手段４２の変動後の特別図柄が大当たり態様となって特別遊技状態が発生したときに開閉板３９ａが前側に開放して、上方から落下する遊技球を入賞させるようになっている。特別遊技状態中は開閉板３９ａの開放から所定時間（例えば３０秒程度）が経過するか、その間に所定数（例えば１０個）の遊技球が入賞したときに開閉板３９ａを閉じる動作を１ラウンドとし、この動作を所定回数（例えば１６ラウンド）継続するようになっている。
【００２５】
画像表示部４４は特別図柄表示手段４２の特別図柄に対応する演出図柄４６ａ，４６ｂ，４６ｃの変動表示、回転灯２９の操作指示画像４７を表示する操作指示等、遊技の進行に従って適宜タイミングで各種の演出画像を随時表示するものである。即ち、特別図柄表示手段４２の特別図柄の変動に際しては、その特別図柄の変動に同期して１個又は複数個、例えば３個の演出図柄４６ａ〜４６ｃが画像表示部４４に変動表示される。このとき演出図柄４６ａ〜４６ｃは特別図柄始動手段３８の遊技球の検出を条件に、抽選により決定された所定の演出図柄変動パターンを経て所定時間変動した後、特別図柄の変動終了に同期して所定の順序（例えば左、右、中等の順序）で順次停止する。
【００２６】
演出図柄４６ａ〜４６ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００２７】
例えば、演出図柄４６ａ〜４６ｃには０〜９までの数字図柄が使用されており、特別図柄が大当たり態様で停止する場合には演出図柄４６ａ〜４６ｃは「７・７・７」等の大当たり演出態様で停止し、特別図柄が外れ態様で停止する場合には演出図柄４６ａ〜４６ｃは「２・４・５」等の外れ演出態様で停止する。
【００２８】
回転灯２９の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄４６ｂを除く２個の演出図柄４６ａ，４６ｃが同じとなるリーチとなった場合に、画像表示部４４の所定箇所に回転灯２９の操作を指示する操作指示画像４７が表示される。
【００２９】
そして、例えば特別図始動手段３８が遊技球を検出したときに大当たりを抽選しており、変動後の特別図柄が大当たり態様となった後に特別遊技状態が発生する場合には、その操作指示画像４７に従って図柄変動中に適宜タイミングで回転灯２９を押圧操作すれば、回転灯２９が回転しながら明滅発光する回転発光状態となって、その後の大当たり態様での特別図柄の停止、及びこれに続く特別遊技状態の発生を予告する。
【００３０】
なお、回転灯２９は遊技者が操作するか否かに関係なく回転発光させてもよい。また回転灯２９の回転発光中は、画像表示部４４に回転灯２９の回転発光を示す演出画像を表示してもよい。
【００３１】
図４に示すように、外枠２を構成する左右一対の縦枠材１３，１４の内、その左側の縦枠材１３は上下の横枠材１５，１６と同様に木材製であり、右側の縦枠材１４は金属製、例えばアルミ合金系の押し出し型材５０により構成されている。なお、押し出し型材５０に代えて板金製のものを使用してもよい。
【００３２】
左の木材製の縦枠材１３の上端側は上側のヒンジ３の固定ブラケット３ａ等を有する連結金具４８を介して横枠材１５に固定され、下端側は適宜手段を介して横枠材１６に固定されている。縦枠材１３と前枠材１７との連結部分には下側のヒンジ４の固定ブラケット４ａが固定されている。上下のヒンジ３，４では、前枠５側の可動ブラケット３ｂ，４ｂが外枠２側の固定ブラケット３ａ，４ａ上に載り、そのヒンジ軸とヒンジ孔とが上方向に着脱、回動自在に嵌合している。
【００３３】
右の縦枠材１４を構成する押し出し型材５０は、図２〜図６に示すように、上下方向に帯状に配置された縦板部５１と、この縦板部５１の前後両端から左右方向の内側へと屈曲する板状の突出部５２とを有し、また縦板部５１の内面には前後２条のネジ螺合部５３が上下方向に設けられている。なお、縦板部５１、突出部５２及びネジ螺合部５３は一体に設けられている。ネジ螺合部５３は断面Ｃ字状に形成されている。
【００３４】
押し出し型材５０のネジ螺合部５３の上下両端側は、図５、図６に示すように、横枠材１５，１６の板厚分が除去されており、押し出し型材５０のその除去部分に上下の横枠材１５，１６が左右方向の内側から嵌め込まれている。そして、押し出し型材５０と各横枠材１５，１６は、上下の横枠材１５，１６に外側から挿通され且つネジ螺合部５３に螺合する上下方向のネジ５４，５５により、押し出し型材５０の上下両端に各横枠材１５，１６が連結されている。
【００３５】
押し出し型材５０にはその前後両端側を前後方向に連結する連結部材５６〜５８が上下両端部と中間部とに複数個設けられており、この複数個の連結部材５６〜５８により押し出し型材５０が補強されている。各連結部材５６〜５８は板金材等を折り曲げ加工したものであって、所定の間隔を置いて押し出し型材５０の縦板部５１と対向する板状の連結部５９と、この連結部５９の前後両端から押し出し型材５０の突出部５２の内側に沿って屈曲する固定部６０とを有する平面視コ字状に構成されている。
【００３６】
各連結部材５６〜５８は押し出し型材５０の縦板部５１との間に所定の間隔を置いて縦枠材１３，１４の突出部５２間に嵌め込まれ、その前後の固定部６０がネジ、リベット等の固定具６１により押し出し型材５０の前後の突出部５２に結合されている。連結部材５６〜５８は前後幅よりも上下方向に長くなっており、固定具６１は各連結部材５６〜５８毎に上下方向に複数設けられている。
【００３７】
このように上下方向の複数箇所に連結部材５６〜５８を配置して、この各連結部材５６〜５８により押し出し型材５０の突出部５２側を前後方向に連結することにより、押し出し型材５０自体を補強することができる。従って、縦枠材１４に簡単な構造の押し出し型材５０を使用しながら剛性を容易に確保でき、製作コストの低減を図ることができる。
【００３８】
例えば押し出し型材５０の縦板部５１との間に所定の間隔をおいて連結部材５６〜５８の連結部５９を配置し、その連結部５９の前後両側の固定部６０を押し出し型材５０の突出部５２に固定することにより、押し出し型材５０の突出部５２の先端側を連結部材５６〜５８で前後に連結できるので、押し出し型材５０の捩じり方向の外力に対しても十分に耐え得る構造とすることができる。このため外枠２を安価に製作することができる。
【００３９】
また連結部材５６〜５８の上下方向の長さの長短によって押し出し型材５０の剛性が変化するため、例えばパチンコ機１の機種によって前枠５側の重量が異なる場合には、前枠５側の重量に応じて連結部材５６〜５８の長さを変えることによって、共通の押し出し型材５０を使用しながら、その前枠５側の重量に応じて押し出し型材５０の剛性を調整できる。そのため押し出し型材５０の共通化を図ることができる。
【００４０】
上下の連結部材５６，５７は縦枠材１４の補強用の他に、縦枠材１４と上下両端の各横枠材１５，１６とを連結する連結用、及び前枠５を閉状態で施錠する施錠用としての機能を有し、各連結部材５６，５７には上下の各横枠材１５，１６に沿って内側へと略直角に屈曲する取り付け部５６ａ，５７ａと、施錠手段１０の一部を構成する施錠用の施錠受け具５６ｂ，５７ｂとが設けられている。なお、取り付け部５６ａ，５７ａ、施錠受け具５６ｂ，５７ｂにより、連結部材５６，５７の機能部が構成されている。
【００４１】
取り付け部５６ａ，５７ａはネジ、リベット等の固定具５６ｃ，５７ｃにより横枠材１５，１６に固定されており、この取り付け部５６ａ，５７ａを有する連結部材５６，５７により、縦枠材１４と横枠材１５，１６との連結部分が補強されている。従って、押し出し型材５０の剛性を確保するための連結部材５６，５７を利用して縦枠材１４と横枠材１５，１６との連結部分を補強できるので、両者の連結部分に別途Ｌ型等の連結金具を設ける必要がなくなり、組み立て時の作業工数の削減、部品点数の削減により製作コストの低減を図ることができる。
【００４２】
連結部材５６，５７には連結部５９と取り付け部５６ａ，５７ａとに跨がってプレス成形等によって断面山形状の補強部５６ｄ，５７ｄが設けられている。なお、同様に連結部５９とその両側の固定部６０とに跨がって断面山形状の補強部を設けてもよい。
【００４３】
施錠受け具５６ｂ，５７ｂは連結部材５６〜５８の縦板部５１から内側に突出して一体に設けられており、この施錠受け具５６ｂ，５７ｂに施錠手段１０の施錠掛け具５６ｅ，５７ｅが上側から係脱自在に係合するようになっている。前枠５用の施錠手段１０は、外枠２側の上下一対の施錠受け具５６ｂ，５７ｂと、前枠５の支持ブラケット６４に横軸を介して係脱方向に回動自在に枢支された上下一対の施錠掛け具５６ｅ，５７ｅと、施錠掛け具５６ｅ，５７ｅを上下に連動させる連動部材６５とを備えている。
【００４４】
そして、前枠５を外枠２側へと閉方向に回動させると、各施錠掛け具５６ｅ，５７ｅが施錠受け具５６ｂ，５７ｂに係合して前枠５を外枠２に施錠でき、また前枠５の解除操作部１２に鍵等の操作具を挿入して解除方向に操作すると、各施錠掛け具５６ｅ，５７ｅが施錠受け具５６ｂ，５７ｂから外れて前枠５をヒンジ３，４廻りに開閉できる。
【００４５】
このように連結部材５６，５７に施錠手段１０の施錠受け具５６ｂ，５７ｂを一体に設けることにより、別途施錠受け具を設ける必要がなく、施錠手段１０の施錠受け具５６ｂ，５７ｂ側においても組み立て時の作業工数の削減、部品点数の削減を図ることができる。
【００４６】
図７〜図１０は本発明の第２の実施形態を例示する。この実施形態では、左右の縦枠材１３，１４が共に板金材６７により構成されている。以下、左側の縦枠材１３について説明するが、右側の縦枠材１４についても略同様である。
【００４７】
左側の縦枠材１３を構成する板金材６７は、上下方向に配置された縦板部５１と、この縦板部５１の前後両側から内側に突出する突出部５２とを有し、その突出部５２を前後に連結する連結部材５６〜５８により、板金材６７の上下両端部と中間部との複数箇所で板金材６７が補強されている。
【００４８】
連結部材５６〜５８は第１の実施形態と同様に連結部５９と、この連結部５９の前後両端から外側に屈曲する固定部６０とを一体に有する板金製である。各連結部材５６〜５８はその前後の固定部６０が板金材６７の前後の突出部５２に固定されており、第１の実施形態と同様に板金材６７を補強する構造となっている。また上側の連結部材５６は上側のヒンジ３の固定ブラケット３ａの固定用を兼用し、また下側の連結部材５７は下側のヒンジ４の固定ブラケット４ａを兼用する等、上下の連結部材５６，５７は板金材６７の補強用以外の機能も有する。
【００４９】
上側のヒンジ３の固定ブラケット３ａは上側の横枠材１５の上面に配置された上面部６８と、この上面部６８から下方に屈曲して板金材６７の外側に配置された側面部６９とを有し、その上面部６８が横枠材１５にネジ等の固定具７０により固定され、また側面部６９が連結部材５６との間で縦板部５１を挟んで板金材６７に固定されている。連結部材５６〜５８の連結部５９と縦枠材１３，１４の縦板部５１との間には筒状のスペーサ７１があり、固定ブラケット３ａの側面部６９から縦板部５１の通孔、スペーサ７１、連結部５９の通孔を経て挿通されたネジ７２と、このネジ７２に螺合するナット７３とにより、両者が固定されている。なお、ネジ７２は連結部材５６の連結部５９にネジ孔を設けて、そのネジ孔に螺合させてもよい。この場合には、固定ブラケット３ａにより横枠材１５と板金材６７との連結部分を補強でき、またその固定ブラケット３ａの固定用として上側の連結部材５６を利用できる。
【００５０】
下側の連結部材５７には、その連結部５９の下端から略水平方向に屈曲して下側のヒンジ４用の固定ブラケット４ａが一体に設けられている。固定ブラケット４ａは前後方向の中間部が前枠材１７の上面に当接すると共に、その当接部分が前枠材１７にネジで固定されている。固定ブラケット４ａの前端部には、ヒンジ軸４ｃが設けられている。
【００５１】
このようにすれば、下側の連結部材５７の下端部に固定ブラケット４ａが一体に設けられているので、下側の連結部材５７を介して固定ブラケット４ａを板金材６７に固定できる利点がある。
【００５２】
なお、下側の横枠材１６と板金材６７は、横枠材１６上の固定部材７４を介して連結されている。固定部材７４はネジ７５により下側の横枠材１６に固定され、その固定部材７４に縦板部５１、突出部５２に挿通された左右方向及び／又は前後方向のネジ７５等により連結部材５７が固定されている。下側の横枠材１６と板金材６７との連結部分を連結部材５７で補強するようにしてもよい。
【００５３】
図１１は本発明の第３の実施形態を例示する。この実施形態では、縦枠材１４は押し出し型材５０により構成され、その押し出し型材５０の突出部５２を前後に連結して補強する連結部材５７（５６，５８）は合成樹脂製の中実体７７により構成されている。連結部材５７は押し出し型材５０の縦板部５１に当接して前後の突出部５２間に嵌め込まれており、突出部５２を貫通して挿通された前後方向のネジ等の固定具６１により押し出し型材５０に固定されている。中実体７７に施錠手段１０の施錠受け具５７ｂを設ける場合には、その施錠受け具５７ｂの基部５７ｆを中実体７７内に埋め込んでモールド成形してもよい。
【００５４】
このように連結部材５７（５６，５８）は第１、第２の実施形態に例示の断面コ字状に構成する他、中実体７７により構成してもよい。また連結部材５７が合成樹脂製の場合には、中空状に構成してもよい。従って、連結部材５７（５６，５８）の断面形状は種々に変更可能であり、断面コ字状に限定されるものではない。
【００５５】
図１２、図１３は本発明の第４の実施形態を例示する。この実施形態では、縦枠材１４を構成する押し出し型材５０に、縦板部５１の前後方向の一端側、例えば後部側に突出部５２が設けられており、他端側に突出部５２に代えて溝部５１ａが設けられている。連結部材５８（５６，５７）は突出部５２と縦板部５１の前部とに跨がって傾斜状に配置され、その連結部５９の後端の固定部６０がネジ等の固定具６１により突出部５２に固定され、前端側の固定部６０が縦板部５１の前部側の溝部５１ａ内に固定具６１により固定されている。なお、連結部５９に施錠用の施錠受け具５６ｂ，５７ｂを設けてもよい。連結部材５８には施錠用の施錠受け具５８ａが設けられている。
【００５６】
このように突出部５２が縦板部５１の前後方向の一方側のみの場合には、その突出部５２と縦板部５１の反対側の端部とに跨がって連結部材５６〜５８を設けてもよい。なお、連結部材５８は、図１２に二点鎖線で示すように連結部５９を設け、その連結部５９の端部から突出部５２に沿って外側に屈曲して固定部６０を設けてもよい。
【００５７】
図１４、図１５は本発明の第５の実施形態を例示する。この実施形態の押し出し型材５０には、縦板部５１の前後方向の一端側、例えば後部側に段部７８を有する中空部７９と、この中空部７９から突出する突出部５２とが設けられており、他端側には突出部５２等が設けられていない。このような場合には、連結部材５８（５６，５７）の一方の固定部６０を突出部５２に、他方の固定部６０を突出部５２と反対側で縦板部５１に夫々固定し、連結部５９を段部７８に当接して設けてもよい。また連結部材５６〜５８の連結部５９は、固定部６０に対して図１４に二点鎖線で示すように設けてもよい。
【００５８】
図１６、図１７は本発明の第６の実施形態を例示する。縦枠材１４を構成する押し出し型材５０又は板金材６７は、縦板部５１の前後の突出部５２にカシメ用の孔部８０又は凹部を有する。連結部材５６〜５８は連結部５９の前後両端に、各突出部５２の先端が嵌合する凹部８１を有し、この凹部８１を介して各突出部５２の外側に固定部６０が設けられ、その固定部６０がカシメ部８２により孔部８０又は凹部に係合している。
【００５９】
このように連結部材５６〜５８の前後の固定部６０は、その一部を加締めたカシメ部８２を介して各突出部５２に固定してもよい。従って、連結部材５６〜５８はネジ等の固定具６１により押し出し型材５０、板金材６７等に固定してもよいし、固定具６１以外のカシメ部８２等で固定してもよい。
【００６０】
図１８は本発明の第７の実施形態を例示する。連結部材５８は連結部５９の両端に凹部８１を介して固定部６０が設けられ、その固定部６０が縦板部５１に近い側でネジ等の固定具６１で突出部５２に固定されている。
【００６１】
このように連結部材５８に突出部５２の先端が凹部８１に嵌合する等により突出部５２の先端を確実に保持できる場合には、固定部６０は縦板部５１に近い側でネジ等の固定具６１で突出部５２に固定してもよい。従って、突出部５２の先端側を連結部材５８により前後方向に連結するに当たっては、固定部６０の突出部５２に対する固定箇所は左右方向の適宜位置に設けることが可能である。
【００６２】
図１９、図２０は本発明の第８の実施形態を例示する。縦枠材１４を構成する押し出し型材５０又は板金材６７は、その前後の突出部５２間に介在された前後方向の筒状の連結部材５６により連結されている。連結部材５６は上下方向に所定間隔（例えば等間隔）を置いて上下方向に複数個設けられており、その連結部材５６の前後両端部にネジ又はリベット等の固定具６１を介して突出部５２が固定されている。
【００６３】
このように押し出し型材５０又は板金材６７の突出部５２間を筒状の連結部材５６を介して前後に連結しても、押し出し型材５０又は板金材６７を補強することができる。
【００６４】
図２１は本発明の第９の実施形態を例示し、連結部材５６の前後両端に係合部８９が設けられ、この係合部８９が押し出し型材５０の前後両端の被係合部９０に係合するようになっている。例えば、連結部材５６の一方の係合部８９を押し出し型材５０の縦板部５１の前端側の被係合部９０に係合した後、他方の係合部８９を突出部５２の先端の被係合部９０に係合させることにより、連結部材５６を押し出し型材５０の突出部５２の先端と縦板部５１の前端とに跨がって固定する。
【００６５】
このように連結部材５６〜５８は係合式にしてもよい。この場合には、押し出し型材５０に対する連結部材５６の固定が容易であり、また押し出し型材５０からの連結部材５６の取り外しも容易に行える利点がある。
【００６６】
図２２、図２３は本発明の第１０の実施形態を例示する。この実施形態の押し出し型材５０又は板金材６７は、突出部５２の先端にその端縁に沿って折り曲げ部９１が設けられており、連結部材５８を装着したときに、その固定部６０を縦板部５１と折り曲げ部９１との間で挟むようになっている。連結部材５８にはその上側に施錠掛け具５８ａが設けられている。
【００６７】
押し出し型材５０又は板金材６７、連結部材５８は、この実施形態に示すように構成してもよい。
【００６８】
以上、本発明の各実施形態について例示したが、本発明は各実施形態に限定されるものではなく、本発明の趣旨を逸脱しない範囲内で種々の変更が可能であることは云うまでもい。例えば、外枠２に使用する金属製の縦枠材１３，１４は押し出し型材５０、板金材６７の何れでもよい。また左右の縦枠材１３，１４の内、その一方又は両方を金属製としてもよい。金属製の縦枠材１３，１４の断面形状は、平面視Ｌ字状、コ字状の他、中空部を有するものでもよい。また縦板部５１から突出する突出部５２は板状でもよいし、中空状に構成してもよい。
【００６９】
連結部材５６〜５８は上下方向に複数個設けてもよいし、必要箇所のみに１箇所設けてもよい。連結部材５６〜５８がコ字状等の場合には、前後幅よりも上下方向に長く構成するのが一般的であるが、上下方向の寸法は前後幅以下でもよい。
【００７０】
連結部５９の前後両側に固定部６０を備えた連結部材５６〜５８の場合、その連結部５９の前後両側に連結部５９と略同一長さの固定部６０を設ける必要はなく、固定部６０は上下方向に所定の間隔を置いて複数個設けてもよい。また固定部６０の左右幅は、縦枠材１３，１４の突出部５２の左右幅と略同じか若干狭い程度が望ましいが、突出部５２の先端側の一部に対応する程度の小幅のものでもよい。
【００７１】
更に各実施形態では、金属製の縦枠材１３，１４を採用する場合について例示しているが、横枠材１５，１６に金属製のものを採用する場合にも、同様にしてその金属製の横枠材１５，１６を連結部材５６〜５８により補強するようにしてもよい。従って、連結部材５６〜５８による補強構造は、縦枠材１３，１４、横枠材１５，１６を問わずその何れに採用してもよい。
【００７２】
連結部材５６〜５８を縦枠材１３，１４の補強用以外の機能を持たせる場合には、施錠用、ヒンジ３，４以外に利用してもよい。またアレンジボール機等のパチンコ機以外の弾球遊技機においても同様に実施可能である。
【符号の説明】
【００７３】
２  操作部
５  前枠
１３，１４  縦枠材
１５，１６  横枠材
５０  押し出し型材
５１  縦板部
５２  突出部
５６〜５８  連結部材
５６ｂ，５７ｂ，５８ｂ  施錠受け具（機能部）
５９  連結部
６０  固定部
６７  板金材
【図１】
2014018219.tif 000003
【図２】
2014018219.tif 000004
【図３】
2014018219.tif 000005
【図４】
2014018219.tif 000006
【図５】
2014018219.tif 000007
【図６】
2014018219.tif 000008
【図７】
2014018219.tif 000009
【図８】
2014018219.tif 000010
【図９】
2014018219.tif 000011
【図１０】
2014018219.tif 000012
【図１１】
2014018219.tif 000013
【図１２】
2014018219.tif 000014
【図１３】
2014018219.tif 000015
【図１４】
2014018219.tif 000016
【図１５】
2014018219.tif 000017
【図１６】
2014018219.tif 000018
【図１７】
2014018219.tif 000019
【図１８】
2014018219.tif 000020
【図１９】
2014018219.tif 000021
【図２０】
2014018219.tif 000022
【図２１】
2014018219.tif 000023
【図２２】
2014018219.tif 000024
【図２３】
2014018219.tif 000025
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
左右一対の縦枠材と、上下一対の横枠材とを含む外枠を備え、
前記両縦枠材の少なくとも一方を型材、板金材等の金属製とした弾球遊技機において、  前記金属製の縦枠材との間に所定の空間をおいて配置された連結部材を備え、
該連結部材は前記空間の両側で前記縦枠材の前後所定部位に連結されている
ことを特徴とする弾球遊技機。
【請求項２】
前記金属製の縦枠材は縦板部と、該縦板部の少なくとも前後方向の一端側から左右方向の内側へと突出する突出部とを有し、
前記突出部と前記縦板部の前記突出部と反対側とを前記連結部材により連結した
ことを特徴とする請求項１に記載の弾球遊技機。
【請求項３】
前記金属製の縦枠材は縦板部と、該縦板部の前後両側から左右方向の内側へと突出する突出部とを有し、
前記縦板部から離れた位置で前記連結部材により前記両突出部を前後に連結した
ことを特徴とする請求項１又は２に記載の弾球遊技機。
【請求項４】
前記連結部材を上下方向に複数個備え、
該複数個の連結部材の内、少なくとも１の連結部材は、前記縦枠材の補強用以外の他の機能を有する機能部を一体に備えた
ことを特徴とする請求項１〜３の何れかに記載の弾球遊技機。
【請求項５】
前記横枠材の近傍で前記金属製の縦枠材を補強する連結部材は、該金属製の縦枠材と前記横枠材との連結用を兼用する
ことを特徴とする請求項１〜４の何れかに記載の弾球遊技機。
【請求項６】
前記連結部材は前記金属製の縦枠材の前後幅よりも上下方向に長い長さを有し、
前記金属製の縦枠材の縦板部との間に所定の間隔を置いて対向して配置される連結部と、該連結部の前後両側に設けられ且つ前記金属製の縦枠材の前後両側に固定される固定部とを備え
たことを特徴とする請求項１〜５に記載の弾球遊技機。
【手続補正２】
【補正対象書類名】明細書
【補正対象項目名】０００９
【補正方法】変更
【補正の内容】
【０００９】
本発明は、左右一対の縦枠材と、上下一対の横枠材とを含む外枠を備え、前記両縦枠材の少なくとも一方を型材、板金材等の金属製とした弾球遊技機において、前記金属製の縦枠材との間に所定の空間をおいて配置された連結部材を備え、該連結部材は前記空間の両側で前記縦枠材の前後所定部位に連結されているものである。